(57)【要約】【課題】救助員や近所の人が救助を必要とする建物を容易に発見でき、救助を必要とする建物を発見した人がその建物に居る人を迅速に救助できる災害管理装置および災害管理方法を提供する。【解決手段】災害を検知した旨の通知を災害検知装置７から受けた場合、在宅判定手段１６は、人が建物内の部屋の何れかに一定時間存在するか否かを判定し、在宅報知手段１７は、人が一定時間存在すると判定された場合、建物の外部に設けられた発光体９を点灯または点滅させる。【選択図】図２
2007156793.tif 000002
【特許請求の範囲】
【請求項１】
災害が発生したとき人が所定の建物に一定時間存在するか否かを判定する在宅判定手段と、
前記在宅判定手段によって前記人が一定時間存在すると判定された場合に前記建物の外部に設けられた発光体を点灯または点滅させる在宅報知手段と、
を備えたことを特徴とする災害管理装置。
【請求項２】
前記建物の外部に設けられた発光体は、この発光体の認識が容易な場所に設置されていることを特徴とする請求項１に記載の災害管理装置。
【請求項３】
前記在宅報知手段は、救助を必要とする前記人の属性または前記救助の緊急度を表す救助レベルに応じて前記発光体の点灯または点滅の強弱を制御することを特徴とする請求項１または請求項２に記載の災害管理装置。
【請求項４】
前記在宅報知手段は、文字を表示するための表示手段として前記発光体を用いて、前記人の居場所を含む情報を文字で前記表示手段に表示させることを特徴とする請求項１〜請求項３の何れか１項に記載の災害管理装置。
【請求項５】
災害管理装置が、災害が発生したとき人が所定の建物に一定時間存在するか否かを判定する在宅判定ステップと、
前記災害管理装置が、前記在宅判定ステップで前記人が一定時間存在すると判定された場合に前記建物の外部に設けられた発光体を点灯または点滅させる在宅報知ステップとを備えたことを特徴とする災害管理方法。
【請求項６】
前記建物の外部に設けられた発光体は、この発光体の認識が容易な場合に設置されていることを特徴とする請求項５に記載の災害管理方法。
【請求項７】
前記災害管理装置が、前記在宅報知ステップで救助を必要とする前記人の属性または前記救助の緊急度を表す救助レベルに応じて前記発光体の点灯または点滅の強弱を制御することを特徴とする請求項５または請求項６に記載の災害管理方法。
【請求項８】
前記災害管理装置が、前記在宅報知ステップで文字を表示するための表示手段として前記発光体を用いて、前記人の居場所を含む情報を文字で前記表示手段に表示させることを特徴とする請求項５〜請求項７の何れか１項に記載の災害管理方法。
【発明の詳細な説明】
【技術分野】
【０００１】
本発明は、災害時における人命救助サービスに適した災害管理装置および災害管理方法に関する。
【背景技術】
【０００２】
従来、人命救助を目的とした技術としては、独居高齢者や子供などのサービス利用者にかかる異常を検出すると、連絡先管理データベースに設定されている緊急連絡先にサービス利用者の異常状態を通知すると共に、サービス利用者の住所に人を派遣する要請を行うものが知られている（例えば、特許文献１参照）。
【０００３】
また、上述の技術に関連した他の技術としては、災害時に、各部屋に設置された人感センサが部屋に居る人の有無をサーバに通知し、サーバは、一定時間以上経過しても何れかの部屋に人がいる場合、部屋に居る人の救助の要否やその住所等をネットワーク経由で災害救助センタに通知するものもある。なお、一定時間以上経過しても部屋に居る人とは、災害時に避難できない人であり、例えば、自力での避難が困難な病人や怪我人、高齢者、または乳幼児などである。
【特許文献１】特開２００３−１５２９０２号公報
【発明の開示】
【発明が解決しようとする課題】
【０００４】
しかしながら、上述した人命救助を目的とした技術では、災害救助センタから派遣された救助員が住所に基づいて救助の必要な住居を探索する必要があり、住居の探索に手間取るため、迅速な救助を行うことができないという課題が残されていた。
【０００５】
本発明は、従来の課題を解決するためになされたもので、救助員や近所の人が救助を必要とする建物を容易に発見でき、救助を必要とする建物を発見した人がその建物に居る人を迅速に救助できる災害管理装置および災害管理方法を提供することを目的とする。
【課題を解決するための手段】
【０００６】
本発明の災害管理装置は、災害が発生したとき人が所定の建物に一定時間存在するか否かを判定する在宅判定手段と、前記在宅判定手段によって前記人が一定時間存在すると判定された場合に前記建物の外部に設けられた発光体を点灯または点滅させる在宅報知手段と、を備えた構成を有している。
【０００７】
この構成により、人が一定時間存在すると判定された場合に建物の外部に設けられた発光体を点灯または点滅させるため、救助員や近所の人が救助を必要とする建物を容易に発見でき、救助を必要とする建物を発見した人がその建物に居る人を迅速に救助できる。
【０００８】
また、本発明の災害管理装置は、前記建物の外部に設けられた発光体がこの発光体の認識が容易な場所に設置されている構成を有している。
【０００９】
この構成により、認識が容易な場所に設置されているため、救助員や近所の人が救助を必要とする建物を容易に発見でき、救助を必要とする建物を発見した人がその建物に居る人を迅速に救助できる。
【００１０】
また、本発明の災害管理装置は、前記在宅報知手段が救助を必要とする前記人の属性または前記救助の緊急度を表す救助レベルに応じて前記発光体の点灯または点滅の強弱を制御する構成を有している。
【００１１】
この構成により、救助レベルに応じて発光体の点灯または点滅の強弱を制御するため、効率的に、救助員や近所の人が救助を必要とする建物を発見できる。
【００１２】
また、本発明の災害管理装置は、前記在宅報知手段が、文字を表示するための表示手段として前記発光体を用いて、前記人の居場所を含む情報を文字で前記表示手段に表示させる構成を有している。
【００１３】
この構成により、人の居場所を含む情報を表示手段に文字で表示させるため、正確で効率的に、救助員や近所の人が救助を必要とする建物を発見できる。
【００１４】
本発明の災害管理方法は、災害管理装置が、災害が発生したとき人が所定の建物に一定時間存在するか否かを判定する在宅判定ステップと、
前記災害管理装置が、前記在宅判定ステップで前記人が一定時間存在すると判定された場合に前記建物の外部に設けられた発光体を点灯または点滅させる在宅報知ステップとを備えている。
【００１５】
この方法により、人が一定時間存在すると判定された場合に建物の外部に設けられた発光体を点灯または点滅させるため、救助員や近所の人が救助を必要とする建物を容易に発見でき、救助を必要とする建物を発見した人がその建物に居る人を迅速に救助できる。
【００１６】
また、本発明の災害管理方法においては、前記建物の外部に設けられた発光体がこの発光体の認識が容易な場所に設置されている。
【００１７】
この方法により、認識が容易な場所に設置されているため、救助員や近所の人が救助を必要とする建物を容易に発見でき、救助を必要とする建物を発見した人がその建物に居る人を迅速に救助できる。
【００１８】
また、本発明の災害管理方法においては、前記災害管理装置が、前記在宅報知ステップで救助を必要とする前記人の属性または前記救助の緊急度を表す救助レベルに応じて前記発光体の点灯または点滅の強弱を制御する。
【００１９】
この方法により、救助レベルに応じて発光体の点灯または点滅の強弱を制御するため、効率的に、救助員や近所の人が救助を必要とする建物を発見できる。
【００２０】
また、本発明の災害管理方法においては、前記災害管理装置が、前記在宅報知ステップで文字を表示するための表示手段として前記発光体を用いて、前記人の居場所を含む情報を文字で前記表示手段に表示させる。
【００２１】
この方法により、人の居場所を含む情報を表示手段に文字で表示させるため、正確で効率的に、救助員や近所の人が救助を必要とする建物を発見できる。
【発明の効果】
【００２２】
以上のように本発明は、救助員や近所の人が救助を必要とする建物を容易に発見でき、救助を必要とする建物を発見した人がその建物に居る人を迅速に救助できる災害管理装置および災害管理方法を提供するものである。
【発明を実施するための最良の形態】
【００２３】
以下、本発明の実施の形態について、図面を参照して説明する。
【００２４】
本発明の実施の形態に係る災害管理システムのシステム構成図を図１に示す。図１に示した災害管理システムは、災害を検知する災害検知装置７と、建物２０内の部屋２１に居る人を感知する人感センサ８と、建物２０の外部に設けられた発光体９と、建物２０に設けられた災害管理サーバ１０とを備えて構成される。
【００２５】
なお、本発明の実施の形態では、本発明の災害管理装置の一例を災害管理サーバ１０として説明する。
【００２６】
災害検知装置７は、災害管理サーバ１０に接続されている。災害検知装置７は、例えば、地震、火災、および台風などによる自然災害などの災害を検知したとき、災害管理サーバ１０に災害を検知した旨を通知するようになっている。
【００２７】
人感センサ８は、災害管理サーバ１０に接続されており、図１に示すように建物２０内の各部屋２１に設置されるようにしてもよい。人感センサ８は、人の温度などを検知したとき、災害管理サーバ１０に人を感知した旨を通知するようになっている。例えば、赤外線レーザなどで感知した人のおよそのサイズを測定する機器を人感センサ８として使用するようにしてもよい。
【００２８】
発光体９は、例えば、太陽電池で駆動するＨＩＤ（High Intensity Discharge）またはＬＥＤ（Light Emitting Diode）などによって構成され、災害管理サーバ１０に接続されている。また、発光体９は、例えば、建物２０の天辺の屋根などに設置され、建物２０の周辺の道路や上空にいる者にとって発光体９の認識が容易な場所であれば如何なる場所に設置されていてもよい。
【００２９】
なお、本発明の実施の形態に係る災害管理システムの動作としては、災害管理サーバ１０は、災害が発生したとき人が建物２０に一定時間存在するか否かを判定し、人６が一定時間存在すると判定された場合に建物２０の外部に設けられた発光体９を点灯または点滅させる。従って、災害で駆けつけた救助隊が、発光体９を確認できるため、救助の必要な人６が居る建物２０を確認できる。
【００３０】
ここで、本発明の実施の形態に係る災害管理サーバの装置構成図を図２に示す。
【００３１】
災害管理サーバ１０は、例えば、プログラムを実行するＣＰＵ等からなる制御部１１、ＲＯＭやＲＡＭ等からなるメモリ１２、ハードディスク１３、ネットワークを介して情報を送受信するネットワークインタフェース１４、キーボードやマウス等からなる入力部１５によって構成される。
【００３２】
また、図２に示した在宅判定手段１６および在宅報知手段１７は、例えば、プログラムのモジュールであり、制御部１１によって実行される。
【００３３】
在宅判定手段１６は、例えば、災害検知装置７が災害を検知したとき、人が建物２０内の部屋２１の何れかに一定時間存在するか否かを判定するようになっている。また、災害を検知するための方法としては、ネットワーク上のサーバが、災害が発生した旨を表す災害情報を送信し、災害管理サーバ１０が、送信された災害情報を受信したときに災害を検知する等の方法がある。
【００３４】
在宅報知手段１７は、在宅判定手段１６によって人が一定時間存在すると判定された場合に建物２０の外部に設けられた発光体９を点灯または点滅させるようになっている。
【００３５】
以上のように構成された本発明の実施の形態に係る災害管理サーバの動作の一例について、図面を参照して説明する。図３は、本発明の実施の形態に係る災害管理サーバの動作および災害管理方法を示すフローチャートである。
【００３６】
まず、災害管理サーバ１０が災害を検知した旨の通知を災害検知装置７から受けた場合（Ｓ１）、在宅判定手段１６は、人が建物２０内の部屋２１の何れかに一定時間存在するか否かを判定する（Ｓ２）。人が建物２０に一定時間存在していなかった場合、救助を必要とする人が居ないと判断されるため、動作は終了する。
【００３７】
より詳細には、在宅判定手段１６は、図１に示した建物２０内の各部屋２１に設置されている人感センサ８の感知結果からそれぞれの部屋２１に人が居るか否かを判定する。また、在宅判定手段１６は、各部屋２１に設置されている人感センサ８のうち、人を感知した人感センサ８から、人が存在する部屋２１を特定することができる（Ｓ３）。
【００３８】
例えば、図１に示したように、部屋２１Ａに設置されている人感センサ８Ａが人を感知せず、部屋２１Ｂに設置されている人感センサ８Ｂが人６を感知した場合、在宅判定手段１６は、部屋２１Ｂに人６が居ることを特定することができる。
【００３９】
また、人感センサ８は、感知した人のサイズを測定できる場合、在宅判定手段１６は、人６のサイズに応じて大人か子供かを特定することもできる。ここで、在宅判定手段１６は、大人か子供かに基づいて救助を必要とする人の属性を表す救助レベルを設定する（Ｓ４）。
【００４０】
なお、救助レベルが高いほど、救助隊の隊員が多く必要であり、救助レベルが低いほど、救助隊の隊員が少ない人数でよい。例えば、建物２０に存在する人６が大人であれば、複数の隊員が救出に必要と想定されるため、在宅判定手段１６は、救助レベルを高いレベルに設定し、人６が幼児などであれば、一人の隊員で救出の対応が可能と想定されるため、救助レベルを低いレベルに設定する。
【００４１】
さらに、人感センサ８Ａと人感センサ８Ｂとの双方が人を感知したり、１つの人感センサ８が複数の人を感知したりする場合もあるため、在宅判定手段１６は、建物２０内に複数の人数が居ることを特定し、特定した人数に応じた救助レベルを設定するようにしてもよい。
【００４２】
なお、救助レベルには、救助が早急に必要か後回してよいかを表す緊急度を取り入れてもよい。例えば、人感センサ８は、人が動いているか否かを感知できる場合、在宅判定手段１６は、人感センサ８の感知結果から、人が動いている状態では後回しにする緊急度にして救助レベルを設定し、人が静止している状態では早急を表す緊急度にして救助レベルを設定するようにしてもよい。
【００４３】
次に、在宅報知手段１７は、建物２０の外部に設けられた発光体９を点灯または点滅させると共に、在宅判定手段１６が設定した救助レベルに応じて発光体９の点灯または点滅の強弱を制御する（Ｓ５）。具体的には、在宅報知手段１７は、救助レベルが高くなるにつれて発光体９の点灯または点滅を強め、救助レベルが低くなるにつれて発光体９の点灯または点滅を弱める。
【００４４】
また、ステップＳ５で、文字を表示するための表示手段として発光体９を用いる場合には、在宅報知手段１７は、ステップＳ３で特定した人の居場所を含む情報を文字で表示手段に表示させる。なお、表示手段に表示される情報は、在宅判定手段１６によって特定された大人か子供を表す人の属性、救助が必要な人数、および緊急度などの情報が含まれていてもよい。
【００４５】
例えば、図１に示したように、部屋２１Ａが２階で、部屋２１Ｂが１階である場合、部屋２１Ｂに設定された人感センサ８Ｂが大人である人を感知したとき、表示手段には、１階の部屋に大人１名の救助を要する、といった旨の情報が表示される。
【００４６】
なお、在宅報知手段１７は、情報を表示手段に文字で表示させながら、救助レベルに応じて表示手段の点灯または点滅の強弱を制御するようにしてもよい。
【００４７】
以上、図３に示したフローチャートについて説明したが、在宅報知手段１７は、ステップＳ１の直後に発光体９を点滅させ、ステップＳ５で発光体９を点灯させるよう発光体９を制御してもよい。
【００４８】
以上説明したように、本発明の実施の形態に係る災害管理装置および災害管理方法は、人が一定時間存在すると判定された場合に建物２０の外部に設けられた発光体９を点灯または点滅させるため、救助員や近所の人が救助を必要とする建物２０を容易に発見でき、救助を必要とする建物２０を発見した人がその建物２０に居る人を迅速に救助できる。
【図面の簡単な説明】
【００４９】
【図１】本発明の実施の形態に係る災害管理システムのシステム構成図である。
【図２】本発明の実施の形態に係る災害管理サーバの装置構成図である。
【図３】本発明の実施の形態に係る災害管理サーバの動作を示すフローチャートである。
【符号の説明】
【００５０】
６    人
７    災害検知装置
８    人感センサ
９    発光体
１０    災害管理サーバ
１１    制御部
１２    メモリ
１３    ハードディスク
１４    ネットワークインタフェース
１５    入力部
１６    在宅判定手段
１７    在宅報知手段
２０    建物
２１    部屋
【図１】
2007156793.tif 000003
【図２】
2007156793.tif 000004
【図３】
2007156793.tif 000005